(57)【特許請求の範囲】
【請求項１】
分析装置本体及び当該分析装置本体側に固定されるローター支持部を備え、
前記ローター支持部は、分析対象のブレーキローターの厚さに対応した支持高さを有する支持手段と、
当該ブレーキローターの取り付け穴に対応して中心に対して非対称な位置に設けられた取り付け穴を有する固定手段と、
前記ローター支持部を固定する設置台とを備え、
前記支持手段により前記ブレーキローターの分析装置本体に対する高さ方向の位置決めを行い、
前記固定手段により前記ブレーキローターの分析装置本体に対する水平方向の位置決めを行い、
前記支持部および設置台の対向面は、設置台に対して支持部を位置決めする位置決め面を形成する形状を有し、
前記ローター支持部の前記設置台に対する固定と、前記ブレーキローターの前記ローター支持部に対する固定とを異なる固定ネジによって行い、前記ブレーキローターを前記ローター支持部と一体の状態で前記設置台に対して着脱自在とし、
前記分析位置に対して前記ブレーキローターの分析位置を位置決めすることを特徴とするブレーキローター分析装置。
【発明の詳細な説明】
【０００１】
【発明の属する技術分野】
本発明は、分析装置に関し、特にブレーキローターの分析に適したブレーキローター分析装置に関する。
【０００２】
【従来の技術】
ブレーキローターの各種特性を評価するには、例えば、製造されたブレーキローターの表示状態や、使用や経年変化による摩擦表面状態の変化などを分析する必要がある。このようなブレーキローターを分析する装置として、例えば、光学顕微鏡、電子やイオンあるいはＸ線等の各種プローブを照射する表面分析装置、あるいはＸ線回折装置を用いた応力測定装置等がある。
通常、このような分析装置によってブレーキローターの分析を行う場合には、分析装置本体が備える支持テーブル上にブレーキローターを載置し、支持テーブルあるいは照射プローブを調整することによって、ブレーキローターの分析位置の位置決めを行っている。
【０００３】
【発明が解決しようとする課題】
しかしながら、従来のブレーキローター分析装置では、分析位置の位置決めの点で問題がある。
通常、分析装置は、ブレーキローター等の大型の試料を分析する場合には、試料を支持テーブルに固定することなく単に支持テーブル上に載置し、試料の自重のみによって設置している。そのため、ブレーキローター上において分析位置を位置決めする場合、支持テーブルを移動した際にブレーキローターの自体の重さによって位置ずれを起こす場合がある。例えば、Ｘ線回折装置を用いた応力測定においてブレーキローターを搖動させる場合があり、このときブレーキローターの自重によって回転軸からずれると、位置決めした分析位置からずれることになる。
【０００４】
また、ブレーキローターを支持テーブル上に載置する際、支持テーブル上に単に載置するだけであるため、ブレーキローターと分析装置本体との位置関係にはばらつきが生じる。そのため、各分析毎に位置決めを行う必要がある。特に、他の分析装置によってあらかじめ分析位置が求められている場合や、ブレーキローター上で所定の分析位置が設定されている場合に、分析装置上で該設定された分析位置を再現するには、ブレーキローターの全面から設定された分析位置を探し出す必要が生じ、位置決めに多大の時間と労力を要することになる。
したがって、従来のブレーキローター分析装置では、分析位置の位置決めの精度、及び位置決めの操作性においての問題がある。
【０００５】
そこで、本発明は前記した従来の問題点を解決し、ブレーキローター分析装置において、ブレーキローターの位置決めを容易とすることを目的とする。
【０００６】
【課題を解決するための手段】
本発明は、ブレーキローターを取付ける専用の支持具を備えることによって、ブレーキローターを分析装置本体に対する取付け位置を常に所定位置とし、これによって、ブレーキローターの分析位置の位置決めを容易なものとする。
そこで、本発明は、分析装置本体及び当該分析装置本体側に固定されるローター支持部を備え、このローター支持部は、分析対象であるブレーキローターの厚さに対応した支持高さを有する支持手段、及び同ブレーキローターの取り付け穴に対応した固定手段を備える。支持手段はブレーキローターの分析装置本体に対する高さ方向の位置決めを行い、固定手段はブレーキローターの分析装置本体に対する水平方向の位置決めを行う。このローター支持部による高さ方向の位置決め、及び水平方向の位置決めによって、ブレーキローターの分析装置本体への取付けと同時に、分析位置に対するブレーキローターの分析位置の位置決めを行うことができる。
【０００７】
本発明のローター支持部が備える支持手段は、ブレーキローターの分析面の高さを分析位置の高さが一致するように、ブレーキローターを載置する支持面を支持する支柱の高さをブレーキローターの厚さに対応して定める。該支柱は、予めブレーキローターの厚さに合わせた高さを備える支柱を用意することも、あるいは、支柱の高さをブレーキローターの厚さに合わせて多段階で変更する構成とすることもできる。
本発明のローター支持部が備える固定手段は、ブレーキローターがそれぞれ固有に備える取り付け穴を兼用することによって、ブレーキローターを分析装置本体側に固定する。通常、取り付け穴はブレーキローターの面上において中心に対して非対称な位置に設けられ、常に所定の位置関係で取付けられるよう設定されている。本発明はこの取り付け穴を兼用して固定することによって、ブレーキローターの分析装置本体に対して常に所定位置に取付けることができるため、ブレーキローターの水平方向の位置決めを容易に行うことができる。
【０００８】
したがって、ブレーキローターのサイズや取付け穴の位置に対応した各種のローター支持部を用意しておき、分析するブレーキローターに対応したローター支持部を選択することによって、ブレーキローターの位置決めを容易に行うことができる。
【０００９】
【発明の実施の形態】
以下、本発明の実施の形態を、図を参照しながら詳細に説明する。
図１は本発明のブレーキローター分析装置を説明するための概略図であり、図１（ａ）は正面方向から見た位置を示し、図１（ｂ）は上方から見た位置を示している。
ブレーキローター分析装置１は、分析装置本体２、ブレーキローター１０を支持し固定するローター支持部３、及びローター支持部３を設置して分析装置本体２に対する位置を定めるための設置台６を備え、ローター支持部３は、ブレーキローター１０を支持する支持部４、ブレーキローター１０を支持部４に固定するための固定部５を備える。
【００１０】
分析装置本体２は、例えば、光学顕微鏡、電子やイオンあるいはＸ線等の各種プローブを照射する表面分析装置、あるいはＸ線回折装置を用いた応力測定装置等のブレーキローターを分析する任意の分析装置とすることができ、各分析装置は、それぞれ分析装置が固有に備える焦点位置やプローブの照射位置において分析を行う。図中のＡは分析装置本体２が分析する高さ方向の分析位置を示している。分析装置本体２は、分析対象とするブレーキローター１０の分析位置を分析装置本体２の焦点位置や照射位置に位置合わせした後、分析を行う。
ローター支持部３は、ブレーキローター１０を支持し固定する部材であり、支持部４及び固定部５を備える。支持部４は、ブレーキローター１０を支持する支持盤４ａ及び支柱４ｂを備える。支持盤４ａは、固定部５によってブレーキローター１０を固定することによって、ブレーキローター１０を設置台６上に支持する。
【００１１】
支柱４ｂの高さＨは、ブレーキローター１０の分析表面の高さ位置が、分析装置本体２の高さ方向の分析位置（図１中のＡ）と一致するように、分析対象とするブレーキローター１０の厚さ（高さｈ）に対応して設定する。例えば、ブレーキローター１０の厚さ（高さｈ）が厚い場合にはその分だけ支柱４ｂの高さＨを低く設定し、また、ブレーキローター１０の厚さ（高さｈ）が薄い場合にはその分だけ支柱４ｂの高さＨを高く設定することによって、ブレーキローター１０の分析表面の高さ位置が、分析装置本体２の高さ方向の分析位置（図１中のＡ）と常に一致するようにする。
【００１２】
支持盤４ａには、ブレーキローター１０を固定するためのねじ穴５ａが形成される。このねじ穴５ａは固定ネジ５ｂと共に固定部５の一部を構成する。ねじ穴５ａの位置はブレーキローター１０が固有に備える取付け穴１１の位置とを対応させ、支持盤４ａの中心からねじ穴５ａまでの径Ｄ及び配置角度と、ブレーキローター１０の中心から取付け穴１１までの径ｄ及び配置角度とを一致させて形成する。なお、ブレーキローター１０の取付け穴１１は、該ブレーキローター１０を駆動機構に取り付ける際に用いるための穴であり、ブレーキローター１０のサイズやタイプによってそれぞれ異なる位置に配置されている。
【００１３】
図１（ｂ）に示すように、ブレーキローター１０が有する取付け穴１１（１１ａ〜１１ｇ）、及び支持盤４ａに形成されるねじ穴５ａは、中心から同一の径ｄ（径Ｄ）上において非対称の角度間隔で配置され、ブレーキローター１０は支持盤４ａに対して一つの位置でのみ固定することができる。なお、複数の取付け穴１１（１１ａ〜１１ｇ）に位置は必ずしも同一円周上であるとは限らず、異なる円周上に配置される場合もあり、ローター支持部３側のねじ穴５ａも取付け穴１１（１１ａ〜１１ｇ）に対応して異なる円周上に配置される。
【００１４】
ブレーキローター１０をローター支持部３の支持盤４ａに固定する際には、これらの対応する取付け穴１１とねじ穴５ａとを合わせた後、固定ネジ５ｂで固定する。さらに、固定ネジ５ｃによってローター支持部３を設置台６に固定する。これによって、ブレーキローター１０が固有に備える取付け穴１１は、ブレーキローター１０を支持盤４ａに固定するための穴として兼用し、常に水平面方向において同一の位置で固定する。したがって、固定時には、ブレーキローター１０は、分析装置本体２の焦点位置や照射位置に対して水平方向において常に同一の位置に設置される。この位置を基準位置とすることによって、この後に行う水平方向の分析位置の位置合わせを容易なものとすることができる。
【００１５】
なお、設置台６及び対向する支持部４の支柱４ｂには、凹部、凸部、あるいは溝部等の位置決め面を構成する形状を形成し、これによって設置台６に対する支持部４の位置決めを行うことができる。また、設置台６は支持脚６ａ，６ｂ，６ｃ等によってベース部分（図示していない）に固定することができる。また、ベース部分上には分析装置本体２も設置されている。これによってローター支持部３及び該ローター支持部３に取付けたブレーキローター１０と分析装置本体２とは、ベース部分を介して同一の基準面上（例えば、ベース部分上に設けた基準面）に設置されることになり、ローター支持部３上でブレーキローター１０の分析位置を位置決めすることによって、分析装置本体２に対する位置決めを行うことができる。
【００１６】
次に、図２を用いてブレーキローターをローター支持部に固定する動作を説明し、図３を用いて異なるブレーキローターに対する対応を説明する。
分析対象となる各種のブレーキローター１０に対して、該ブレーキローター１０の厚さｈに対応する高さの支柱４ｂや、ブレーキローター１０の取付け穴１１の位置（中心からの径ｄ）に対応する固定用のネジ穴５ａを備えたローター支持部３をあらかじめ用意しておく。
これらのローター支持部３中から分析対象とするブレーキローター１０に対応するローター支持部３を選択する。選択したローター支持部３の固定用のネジ穴５ａとブレーキローター１０の取付け穴１１とを位置合わせし、該ネジ穴５ａ及び取付け穴１１の固定ネジ５ｂを螺合させることによって、ブレーキローター１０をローター支持部３に固定する。（図２（ａ））
次に、ローター支持部３が固定されたブレーキローター１０を設置台６上に配置し、固定ネジ５ｃによってローター支持部３を設置台６に固定する。この固定によって、ブレーキローター１０は設置台６に固定され、さらに、設置台６と同一ベース部分上に設けられる分析装置本体２に対して固定される。（図２（ｂ））。
図３（ａ）は、厚さｈ及び取り付け穴１１の位置（中心からの径ｄ）を異にする２つのブレーキローター１０-1，１０-2の場合について示している。ここで、ブレーキローター１０-1は、厚さがｈ１で取り付け穴１１の位置が中心からｄ１とし、ブレーキローター１０-2は、厚さがｈ２（＜ｈ１）で取り付け穴１１の位置が中心からの径がｄ２（＜ｄ１）としている。
【００１７】
ブレーキローター１０-1に対してローター支持部３-1を用意し、ブレーキローター１０-2に対してローター支持部３-2を用意する。ローター支持部３-1の支柱４ｂの高さは、ブレーキローター１０-1の厚さｈ１に対応してＨ１とし、ローター支持部３の固定用のネジ穴５ａの位置は、ブレーキローター１０-1の取り付け穴１１の位置（中心からｄ１）に対応して中心からＤ１（＝ｄ１）とする。また、ローター支持部３-2の支柱４ｂの高さは、ブレーキローター１０-2の厚さｈ２に対応してＨ２とし、ローター支持部３の固定用のネジ穴５ａの位置は、ブレーキローター１０-2の取り付け穴１１の位置（中心からｄ２）に対応して中心からＤ２（＝ｄ２）とする。
【００１８】
ローター支持部３の支柱４ｂの高さを、ブレーキローター１０の厚さｈの対応して定めることによって、ブレーキローター１０のサイズや種類が異なる場合であっても、ブレーキローター１０の分析表面の位置を分析装置本体の分析位置Ａに常に合わせることができ、位置決めを容易とすることができる。
したがって、本発明の態様によれば、ブレーキローターの位置決めを容易に迅速に行うことができ、特にブレーキローター上の分析点が定まっている等のある決まった分析作業について分析の効率化を図ることができる。
【００１９】
【発明の効果】
以上説明したように、本発明のブレーキローター分析装置によれば、ブレーキローターの位置決めを容易に行うことができる。
【図面の簡単な説明】
【図１】本発明のブレーキローター分析装置を説明するための概略図である。
【図２】本発明におけるブレーキローターのローター支持部への固定動作を説明するための図である。
【図３】本発明において異なるブレーキローターに対する対応を説明するための図である。
【符号の説明】
１…ブレーキローター分析装置、２…分析装置本体、３…ローター支持部、４…支持部、４ａ…支持盤、４ｂ…支柱、５…固定部、５ａ…ネジ穴、５ｂ…固定ネジ、５ｃ…固定ネジ、６…設置台、１０…ブレーキローター、１１…取り付け穴。
【図１】
0004300563.tif 000002
【図２】
0004300563.tif 000003
【図３】
0004300563.tif 000004